(57)【特許請求の範囲】
【請求項１】
複数のＡＣＫ／ＮＡＣＫ用制御ビットをデータ信号とし、複数の時間ブロックから構成される物理上り制御チャネルフォーマットにおける、複数の時間ブロックのうちの複数の参照信号ブロックに巡回シフトを付与する巡回シフト付与手段と、前記複数の参照信号ブロックに渡って直交符号を乗算する直交符号乗算手段と、を具備し、
前記物理上り制御チャネルフォーマットにおける前記データ信号を送信する時間ブロックに巡回シフトが付与されており、
前記データ信号に付与される巡回シフトに基づいて、前記参照信号に付与される巡回シフト及び乗算される直交符号を決定することを特徴とする移動端末装置。
【請求項２】
複数のＡＣＫ／ＮＡＣＫ用制御ビットをデータ信号とし、複数の時間ブロックから構成される物理上り制御チャネルフォーマットにおける、複数の時間ブロックのうちの複数の参照信号ブロックに巡回シフトを付与する巡回シフト付与手段と、前記複数の参照信号ブロックに渡って直交符号を乗算する直交符号乗算手段と、を具備し、
前記物理上り制御チャネルフォーマットにおける前記データ信号を送信する複数の時間ブロックに渡って直交符号が乗算されており、
前記データ信号に乗算される直交符号に基づいて、前記参照信号に付与される巡回シフト及び乗算される直交符号を決定することを特徴とする移動端末装置。
【請求項３】
前記直交符号又は前記直交符号のリソース割り当てパターンを用いてスケジューリング要求情報を通知することを特徴とする請求項１又は請求項２記載の移動端末装置。
【請求項４】
前記データ信号に乗算される直交符号と、プライマリコンポーネントキャリアの制御チャネル信号を受信したかどうかを示す情報とが関連付けられていることを特徴とする請求項２記載の移動端末装置。
【請求項５】
前記データ信号に、プライマリコンポーネントキャリアの制御チャネル信号を受信したかどうかを示す情報を含むことを特徴とする請求項１から請求項４のいずれかに記載の移動端末装置。
【請求項６】
前記物理上り制御チャネルフォーマットにおける前記データ信号は、下りリンクで受信できるデータ多重数に応じたＡＣＫ／ＮＡＣＫ制御情報を含み、前記データ多重数が所定数よりも少ない場合には、下りリンクで制御チャネルを受信できなかった旨を示す情報をさらに含むことを特徴とする請求項１から請求項３のいずれかに記載の移動端末装置。
【請求項７】
前記物理上り制御チャネルフォーマットがShortened  formatであることを特徴とする請求項２記載の移動端末装置。
【請求項８】
系列長を減少させた直交符号を前記Shortened  formatに適用することを特徴とする請求項７記載の移動端末装置。
【請求項９】
参照信号ブロックを一部削除したShortened  formatを用いることを特徴とする請求項７記載の移動端末装置。
【請求項１０】
前記データ信号にスケジューリング要求情報を含むことを特徴とする請求項７から請求項９のいずれかに記載の移動端末装置。
【請求項１１】
移動端末装置において、複数のＡＣＫ／ＮＡＣＫ用制御ビットをデータ信号とし、複数の時間ブロックから構成される物理上り制御チャネルフォーマットにおける、複数の時間ブロックのうちの複数の参照信号ブロックに巡回シフトを付与する工程と、前記複数の参照信号ブロックに渡って直交符号を乗算する工程と、直交符号が乗算された参照信号を含む制御チャネル信号を物理上り制御チャネルで無線基地局装置に送信する工程と、前記物理上り制御チャネルフォーマットにおける前記データ信号を送信する時間ブロックに巡回シフトを付与する工程と、を具備し、
前記データ信号に付与される巡回シフトに基づいて、前記参照信号に付与される巡回シフト及び乗算される直交符号を決定することを特徴とする無線通信方法。
【請求項１２】
移動端末装置において、複数のＡＣＫ／ＮＡＣＫ用制御ビットをデータ信号とし、複数の時間ブロックから構成される物理上り制御チャネルフォーマットにおける、複数の時間ブロックのうちの複数の参照信号ブロックに巡回シフトを付与する工程と、前記複数の参照信号ブロックに渡って直交符号を乗算する工程と、直交符号が乗算された参照信号を含む制御チャネル信号を物理上り制御チャネルで無線基地局装置に送信する工程と、前記物理上り制御チャネルフォーマットにおける前記データ信号を送信する複数の時間ブロックに渡って直交符号を乗算する工程と、を具備し、
前記データ信号に乗算される直交符号に基づいて、前記参照信号に付与される巡回シフト及び乗算される直交符号を決定することを特徴とする無線通信方法。
【請求項１３】
前記物理上り制御チャネルフォーマットがShortened  formatであることを特徴とする請求項１２記載の無線通信方法。
【請求項１４】
前記データ信号に乗算される直交符号と、プライマリコンポーネントキャリアの制御チャネル信号を受信したかどうかを示す情報とが関連付けられていることを特徴とする請求項１２記載の無線通信方法。
【発明の詳細な説明】
【技術分野】
【０００１】
本発明は、次世代移動通信システムにおける移動端末装置及び無線通信方法に関する。
【背景技術】
【０００２】
ＵＭＴＳ（Universal  Mobile  Telecommunications  System）ネットワークにおいては、周波数利用効率及びピークデータレートの向上などを目的として、ＨＳＤＰＡ（High  Speed  Downlink  Packet  Access）やＨＳＵＰＡ（High  Speed  Uplink  Packet  Access）を採用することにより、Ｗ−ＣＤＭＡ（Wideband  Code  Division  Multiple  Access）をベースとしたシステムの特徴を最大限に引き出すことが行われている。このＵＭＴＳネットワークについては、更なる周波数利用効率及びピークデータレートの向上、遅延の低減などを目的としてロングタームエボリューション（ＬＴＥ:Long  Term  Evolution）が検討されている（非特許文献１）。ＬＴＥではＷ−ＣＤＭＡとは異なり、マルチアクセス方式として、下り回線（下りリンク）にＯＦＤＭＡ（Orthogonal  Frequency  Division  Multiple  Access）をベースとした方式を用い、上り回線（上りリンク）にＳＣ−ＦＤＭＡ（Single  Carrier  Frequency  Division  Multiple  Access）をベースとした方式を用いている。
【０００３】
上りリンクで送信される信号は、図１に示すように、適切な無線リソースにマッピングされて移動端末装置から無線基地局装置に送信される。この場合において、ユーザデータ（ＵＥ（User  Equipment）＃１，ＵＥ＃２）は、上り共有チャネル（ＰＵＳＣＨ：Physical  Uplink  Shared  Channel）に割り当てられ、制御情報はユーザデータと同時に送信する場合は、ＰＵＳＣＨと時間多重され、制御情報のみを送信する場合は、上り制御チャネル（ＰＵＣＣＨ：Physical  Uplink  Control  Channel）に割り当てられる。この上りリンクで送信される制御情報には、下りリンクの品質情報（ＣＱＩ:Channel  Quality  Indicator）や下り共有チャネルの再送応答（ＡＣＫ／ＮＡＣＫ）などが含まれる。
【０００４】
ＰＵＣＣＨにおいては、典型的にはＣＱＩとＡＣＫ／ＮＡＣＫを送信する場合で異なるサブフレーム構成を採っている（図２（ａ），（ｂ））。ＰＵＣＣＨのサブフレーム構成は、１スロット（１／２サブフレーム）に７つのＳＣ−ＦＤＭＡシンボルを含む。また、１ＳＣ−ＦＤＭＡシンボルは、１２個の情報シンボル（サブキャリア）を含む。具体的には、ＣＱＩのサブフレーム構成（ＣＱＩフォーマット）は、図２（ａ）に示すように、スロット内の第２シンボル（＃２）、第６シンボル（＃６）に参照信号（ＲＳ：Reference  Signal）を多重し、他のシンボル（第１シンボル、第３シンボル〜第５シンボル、第７シンボル）に制御情報（ＣＱＩ）が多重される。また、ＡＣＫ／ＮＡＣＫのサブフレーム構成（ＡＣＫ／ＮＡＣＫフォーマット）は、図２（ｂ）に示すように、スロット内の第３シンボル（＃３）〜第５シンボル（＃５）に参照信号（ＲＳ：Reference  Signal）を多重し、他のシンボル（第１シンボル（＃１）、第２シンボル（＃２）、第６シンボル（＃６）、第７シンボル（＃７））に制御情報（ＡＣＫ／ＮＡＣＫ）が多重される。１サブフレームにおいては、前記スロットが２回繰り返されている。また、図１に示すように、ＰＵＣＣＨはシステム帯域の両端の無線リソースに多重され、１サブフレーム内の異なる周波数帯域を有する２スロット間で周波数ホッピング(Inter-slot  FH)が適用される。ＰＵＳＣＨのサブフレーム構成は、１スロットに７つのＳＣ−ＦＤＭＡシンボルを含む。
【先行技術文献】
【非特許文献】
【０００５】
【非特許文献１】3GPP,  TR25.912  (V7.1.0),  "Feasibility  study  for  Evolved  UTRA  and  UTRAN",  Sept.  2006
【発明の概要】
【発明が解決しようとする課題】
【０００６】
第３世代のシステム（Ｗ−ＣＭＤＡ）は、概して５ＭＨｚの固定帯域を用いて、下り回線で最大２Ｍｂｐｓ程度の伝送レートを実現できる。一方、ＬＴＥのシステムでは、１．４ＭＨｚ〜２０ＭＨｚの可変帯域を用いて、下り回線で最大３００Ｍｂｐｓ及び上り回線で７５Ｍｂｐｓ程度の伝送レートを実現できる。また、ＵＭＴＳネットワークにおいては、更なる周波数利用効率及びピークデータレートの向上などを目的として、ＬＴＥの後継のシステムも検討されている（例えば、ＬＴＥアドバンスト（ＬＴＥ−Ａ）システム）。
【０００７】
ＬＴＥ−Ａシステムでは、更なる周波数利用効率及びピークスループットなどの向上を目標とし、ＬＴＥよりも広帯域な周波数の割当てが検討されている。また、ＬＴＥ−Ａでは、ＬＴＥとの後方互換性（Backward  compatibility）を持つことが一つの要求条件であり、このため、ＬＴＥが使用可能な帯域幅を有する基本周波数ブロック（コンポーネントキャリア）(ＣＣ:Component  Carrier）を複数並べた送信帯域の構成を採用している。このため、複数の下りＣＣで送信したデータチャネルに対するフィードバック制御情報は、単純にはＣＣ数倍に増大することとなる。このため、フィードバック制御情報の情報量が多くなるので、上りリンクチャネルでのフィードバック制御情報の送信方法の検討が必要である。
【０００８】
本発明はかかる点に鑑みてなされたものであり、物理上り制御チャネルでフィードバック制御情報を効率的に伝送することができる移動端末装置及び無線通信方法を提供することを目的とする。
【課題を解決するための手段】
【０００９】
本発明の移動端末装置の一態様は、複数のＡＣＫ／ＮＡＣＫ用制御ビットをデータ信号とし、複数の時間ブロックから構成される物理上り制御チャネルフォーマットにおける、複数の時間ブロックのうちの複数の参照信号ブロックに巡回シフトを付与する巡回シフト付与手段と、前記複数の参照信号ブロックに渡って直交符号を乗算する直交符号乗算手段と、を具備し、前記物理上り制御チャネルフォーマットにおける前記データ信号を送信する時間ブロックに巡回シフトが付与されており、前記データ信号に付与される巡回シフトに基づいて、前記参照信号に付与される巡回シフト及び乗算される直交符号を決定することを特徴とする。また、本発明の移動端末装置の一態様は、複数のＡＣＫ／ＮＡＣＫ用制御ビットをデータ信号とし、複数の時間ブロックから構成される物理上り制御チャネルフォーマットにおける、複数の時間ブロックのうちの複数の参照信号ブロックに巡回シフトを付与する巡回シフト付与手段と、前記複数の参照信号ブロックに渡って直交符号を乗算する直交符号乗算手段と、を具備し、前記物理上り制御チャネルフォーマットにおける前記データ信号を送信する複数の時間ブロックに渡って直交符号が乗算されており、前記データ信号に乗算される直交符号に基づいて、前記参照信号に付与される巡回シフト及び乗算される直交符号を決定することを特徴とする。
【００１０】
本発明の無線通信方法の一態様は、移動端末装置において、複数のＡＣＫ／ＮＡＣＫ用制御ビットをデータ信号とし、複数の時間ブロックから構成される物理上り制御チャネルフォーマットにおける、複数の時間ブロックのうちの複数の参照信号ブロックに巡回シフトを付与する工程と、前記複数の参照信号ブロックに渡って直交符号を乗算する工程と、直交符号が乗算された参照信号を含む制御チャネル信号を物理上り制御チャネルで無線基地局装置に送信する工程と、前記物理上り制御チャネルフォーマットにおける前記データ信号を送信する時間ブロックに巡回シフトを付与する工程と、を具備し、前記データ信号に付与される巡回シフトに基づいて、前記参照信号に付与される巡回シフト及び乗算される直交符号を決定することを特徴とする。また、本発明の無線通信方法の一態様は、移動端末装置において、複数のＡＣＫ／ＮＡＣＫ用制御ビットをデータ信号とし、複数の時間ブロックから構成される物理上り制御チャネルフォーマットにおける、複数の時間ブロックのうちの複数の参照信号ブロックに巡回シフトを付与する工程と、前記複数の参照信号ブロックに渡って直交符号を乗算する工程と、直交符号が乗算された参照信号を含む制御チャネル信号を物理上り制御チャネルで無線基地局装置に送信する工程と、前記物理上り制御チャネルフォーマットにおける前記データ信号を送信する複数の時間ブロックに渡って直交符号を乗算する工程と、を具備し、前記データ信号に乗算される直交符号に基づいて、前記参照信号に付与される巡回シフト及び乗算される直交符号を決定することを特徴とする。
【発明の効果】
【００１１】
本発明によれば、複数のＡＣＫ／ＮＡＣＫ用制御ビットをデータ信号とし、複数の時間ブロックから構成される物理上り制御チャネルフォーマットにおける、複数の時間ブロックのうちの複数の参照信号ブロックに巡回シフトを付与し、前記複数の参照信号ブロックに渡って直交符号を乗算し、直交符号が乗算された参照信号を含む制御チャネル信号を物理上り制御チャネルで無線基地局装置に送信するので、物理上り制御チャネルでフィードバック制御情報を効率的に伝送することができる。
【図面の簡単な説明】
【００１２】
【図１】上りリンクの信号をマッピングするチャネル構成を説明するための図である。
【図２】（ａ），（ｂ）は、物理上り制御チャネルフォーマットを示す図である。
【図３】（ａ）は、ＣＡＺＡＣ符号系列を用いた巡回シフトによる直交多重を説明するための図であり、（ｂ）は、ブロック拡散による直交多重を説明するための図である。
【図４】（ａ）は、本発明の実施の形態１において、データ信号に用いる巡回シフトのリソースを説明するための図であり、（ｂ）は、本発明の実施の形態１において、参照信号に用いる巡回シフト及び直交符号のリソースを説明するための図である。
【図５】（ａ）は、本発明の実施の形態２において、データ信号に用いる巡回シフトのリソースを説明するための図であり、（ｂ），（ｃ）は、本発明の実施の形態２において、参照信号に用いる巡回シフト及び直交符号のリソースを説明するための図である。
【図６】本発明の実施の形態１に係る移動端末装置の概略構成を示す図である。
【図７】本発明の実施の形態１，２に係る無線基地局装置の概略構成を示す図である。
【図８】本発明の実施の形態２に係る移動端末装置の概略構成を示す図である。
【図９】本発明の実施の形態３に係る移動端末装置におけるブロック拡散による直交多重を説明するための図である。
【図１０】本発明の実施の形態３に係る移動端末装置におけるブロック拡散による直交多重を説明するための図である。
【図１１】本発明の実施の形態３に係る移動端末装置の概略構成を示す図である。
【図１２】本発明の実施の形態３に係る無線基地局装置の概略構成を示す図である。
【発明を実施するための形態】
【００１３】
以下、本発明の実施の形態について、添付図面を参照して詳細に説明する。
ここで、直交多重を用いる物理上り制御チャネル（ＰＵＣＣＨ）フォーマットについて説明する。ＰＵＣＣＨで複数のユーザの上り制御チャネル信号を多重する場合、無線基地局装置においてユーザ毎に上り制御チャネル信号を分離できるように、上り制御チャネル信号を直交多重している。このような直交多重方法としては、ＣＡＺＡＣ（Constant  Amplitude  Zero  Auto  Correlation）符号系列の巡回シフトを用いた直交多重法や、ブロック拡散を用いた直交多重法が挙げられる。ＰＵＣＣＨフォーマットは、複数のＡＣＫ／ＮＡＣＫ用制御ビットをデータ信号とし、複数の時間ブロックから構成される。
【００１４】
ＣＡＺＡＣ符号系列の巡回シフトを用いた直交多重法は、符号長ＬのＣＡＺＡＣ符号系列を△ｐだけ巡回シフトした系列ＣＡＺＡＣ＃１（△ｐ）と、そのＣＡＺＡＣ符号系列を△ｑだけ巡回シフトした系列ＣＡＺＡＣ＃１（△ｑ）とは互いに直交することを利用した直交多重法である。したがって、この方法においては、巡回シフト量を変えたＣＡＺＡＣ符号系列をマッピングしたＳＣ−ＦＤＭＡシンボルに対して、１つのＳＣ−ＦＤＭＡシンボル全体を制御情報により変調（ブロック変調）することによって、上り制御チャネル信号をユーザ毎に直交多重する。例えば、図３（ａ）に示すように、ＡＣＫ／ＮＡＣＫのサブフレーム構成（フォーマット２／２ａ／２ｂ）において特定の巡回シフト量（△）を持つＣＡＺＡＣ符号系列を各ＳＣ−ＦＤＭＡシンボルにマッピングする。そして、データ変調後の上り制御信号ｄ１〜ｄ５によってブロック変調を行う。ユーザ毎に異なる巡回シフト量を割り当てることにより、ユーザ毎の上り制御チャネル信号間の直交を実現することができる。これにより、無線基地局装置において、ユーザ毎の上り制御チャネル信号を分離することが可能となる。なお、ユーザに割り当てるＣＡＺＡＣ符号系列の巡回シフトの間隔は、マルチパスの最大遅延量よりも長く設定することが好ましい。
【００１５】
ブロック拡散は、時間方向に直交符号を適用する直交多重法である。例えば、図３（ｂ）に示すように、１ＳＣ−ＦＤＭＡ内の信号Ａを複製し、５つのＳＣ−ＦＤＭＡシンボル（第１シンボル、第３シンボル〜第５シンボル、第７シンボル）にマッピングする。さらに、拡散符号ｃ１〜ｃ５をＳＣ−ＦＤＭＡシンボル（第１シンボル、第２シンボル〜第５シンボル、第７シンボル）全体に乗算する。異なるユーザ間で直交する拡散符号を用いることにより、ユーザ毎の上り制御チャネル信号間の直交を実現することができ、無線基地局装置において、ユーザ毎の上り制御チャネル信号を分離することが可能となる。
【００１６】
本発明者らは、図３（ａ），（ｂ）の直交多重法に用いられるＰＵＣＣＨフォーマットに着目し、スロット内の２つのＲＳシンボルをユーザ間で直交化する際に、巡回シフトと直交符号（ＯＣＣ：Orthogonal  Cover  Code）乗算とを組み合わせることにより、ＰＵＣＣＨでフィードバック制御情報（ＡＣＫ／ＮＡＣＫ）を効率的に伝送することができることを見出し、本発明をするに至った。
【００１７】
すなわち、本発明の骨子は、移動端末装置において、複数のＡＣＫ／ＮＡＣＫ用制御ビットをデータ信号とし、複数の時間ブロックから構成されるＰＵＣＣＨフォーマットにおける、複数の時間ブロックのうちの複数の参照信号ブロックに巡回シフト（ＣＳ：Cyclic  Shift）を付与し、前記複数の参照信号ブロックに渡って直交符号を乗算し、巡回シフトが付与され、直交符号が乗算された参照信号を含む制御チャネル信号を物理上り制御チャネルで無線基地局装置に送信することにより、ＰＵＣＣＨでフィードバック制御情報を効率的に伝送することである。
【００１８】
ここでは、スロット内にＲＳシンボルが２シンボル（図２（ａ）における時間ブロック＃２，＃６（参照信号ブロック））あることを利用して、ＯＣＣ（｛１，１｝と｛１，−１｝の２コード）を適用する。このように、ＡＣＫ／ＮＡＣＫ用のＰＵＣＣＨフォーマットにおけるＲＳシンボルにＣＳ及びＯＣＣを適用することにより、ＲＳシンボルの直交化精度を改善することができる。
【００１９】
巡回シフトを用いた直交多重法においては、図４（ａ）に示すように、データ信号（データシンボル）には、ＣＳベースの直交多重のみを適用し（データ信号を送信する時間ブロックに巡回シフトのみが付与されている）、図４（ｂ）に示すように、参照信号（ＲＳシンボル）には、ＣＳとＯＣＣを併用した直交多重を適用する。図４（ａ），（ｂ）において、網掛の違いはユーザの違いを示す。データシンボルについては、１２個のリソースを用いるので、例えば図４（ａ）に示すように、６ユーザをＣＳ一つおきに多重する。一方、ＲＳシンボルについては、１２個のＣＳリソース×２個のＯＣＣリソースを用いるので、例えば図４（ｂ）に示すように、６ユーザをＣＳ三つおきに多重できる。このように、ＲＳシンボルにＣＳとＯＣＣを併用することにより、マルチパスの最大許容遅延量をより大きくとることができ、ＲＳシンボルの直交化精度を改善することができる。その結果、復調に用いるチャネル推定精度を改善することができる。
【００２０】
なお、巡回シフトを用いた直交多重法において、ＲＳシンボルにどのＯＣＣを用いるかについて、上位レイヤからＲＲＣシグナリングなどで通知（explicit  signaling）しても良く、データシンボルのＣＳに予め関連付け（implicit  signaling）ておき、データシンボルのＣＳに基づいてＯＣＣを決定しても良い。すなわち、データシンボルに付与される巡回シフトと、ＲＳシンボルに付与される巡回シフト及び乗算される直交符号とが関連付けられていても良い。
【００２１】
ブロック拡散を用いた直交多重法においては、図５（ａ）に示すように、データ信号（データシンボル）には、ＯＣＣベースの直交多重のみを適用し（データ信号を送信する複数の時間ブロックに渡って直交符号が乗算されている）、図５（ｂ）に示すように、参照信号（ＲＳシンボル）には、ＣＳとＯＣＣを併用した直交多重を適用する。図５（ａ），（ｂ）において、網掛の違いはユーザの違いを示す。データシンボルについては、５ユーザをＯＣＣで多重する。一方、ＲＳシンボルについては、１２個のＣＳリソース×２個のＯＣＣリソースを用いるので、例えば図５（ｂ）に示すように５ユーザを多重する。このように、ＲＳシンボルにＣＳとＯＣＣを併用することにより、ＲＳシンボルの直交化精度を改善することができる。その結果、復調に用いるチャネル推定精度を改善することができる。
【００２２】
なお、ブロック拡散を用いた直交多重法において、ＲＳシンボルにどのＣＳ及びＯＣＣを用いるかについて、データシンボルのブロック拡散符号に予め関連付け（implicit  signaling）ておき、データシンボルのブロック拡散符号に基づいてＣＳ及びＯＣＣを決定することが好ましい。すなわち、データシンボルに乗算される直交符号と、ＲＳシンボルに付与される巡回シフト及び乗算される直交符号とが関連付けられていても良い。
【００２３】
ＰＵＣＣＨフォーマットにおけるデータ信号は、下りリンクで受信できるデータ多重数に応じたＡＣＫ／ＮＡＣＫ制御情報を含んでいても良い。この場合において、データ多重数が所定数よりも少ない場合には、下りリンクで制御チャネル信号を受信できなかった旨を示す情報をデータ信号に含めても良い。
【００２４】
Rel.8  ＬＴＥにおいては、ＣＱＩ用のＰＵＣＣＨフォーマット（１／１ａ／１ｂ）についてスケジューリング要求の通知（１ビット）が規定されているが、ＡＣＫ／ＮＡＣＫ用のＰＵＣＣＨフォーマット（２／２ａ／２ｂ）についてスケジューリング要求の通知が規定されていない。本発明において、ＯＣＣの符号｛１，１｝、｛１，−１｝によりスケジューリング要求の通知を行うことができる。すなわち、直交符号を用いてＡＣＫ／ＮＡＣＫ以外の制御情報（スケジューリング要求）を通知することができる。例えば、移動端末装置が無線基地局装置に対してスケジューリング要求する場合に、ＯＣＣについて符号｛１，１｝を符号｛１，−１｝に変更して送信する。すなわち、データ信号に乗算される直交符号（ＯＣＣの符号）と、スケジューリング要求の通知とを関連付けても良い。
【００２５】
あるいは、スケジューリング要求がない場合には、図５（ｂ）に示す巡回シフト及び直交符号のリソース割り当てパターンを使用し、スケジューリング要求がある場合には、図５（ｃ）に示す巡回シフト及び直交符号のリソース割り当てパターンを使用しても良い。なお、上述したように、ＯＣＣ符号を反転させてスケジューリング要求を通知するのではなく、スケジューリング要求の有無で巡回シフト及び直交符号のリソース割り当てパターンを変えることで、スケジューリング要求を通知するようにしても良い。このように、直交符号又は直交符号のリソース割り当てパターンを用いてスケジューリング要求情報を通知することにより、ＰＵＣＣＨフォーマット（２／２ａ／２ｂ）でもスケジューリング要求の通知を行うことが可能となる。
【００２６】
上述したように、ＬＴＥ−Ａシステムでは、ＬＴＥが使用可能な帯域幅を有する基本周波数ブロック（コンポーネントキャリア：ＣＣ）を複数並べた送信帯域の構成を採用している。コンポーネントキャリアＣＣは、プライマリコンポーネントキャリア（以下、ＰＣＣ：Primary  Component  Carrierという）とセカンダリコンポーネントキャリア（以下、ＳＣＣ：Secondly  Component  Carrierという）とを含む。ＰＣＣは、ＬＴＥ方式などの既存通信方式と、ＬＴＥ−Ａ方式などの次世代通信方式と、の双方で利用可能な周波数帯域である。一方、ＳＣＣは、ＬＴＥ−Ａ方式などの次世代通信方式で利用可能な周波数帯域である。このようなＣＣ構成により、次世代通信方式に対応した移動端末装置は、ＰＣＣと一つ以上のＳＣＣとを利用して、高速・大容量通信を行うことができる。すなわち、下りリンクにおいて、一つのＰＣＣと、一つ又は複数のＳＣＣを移動端末装置に割り当てることによって、広帯域化（キャリアアグリゲーション）を行うことができる。一方、次世代通信方式に対応していない移動端末装置は、ＰＣＣを利用して通信を行うことができ、次世代通信方式に対応していない移動端末装置に対するバックワードコンパチビリティが確保される。
【００２７】
この場合において、無線基地局装置は、移動端末装置がＰＣＣの制御チャネル信号を受信したかどうかを知ることができれば、制御チャネルの高精度なリンクアダプテーション（送信電力制御など）や再送制御などを行うことができる。このため、本発明においては、は、ＰＣＣの制御チャネル信号を受信したかどうかを示す情報を、ＡＣＫ／ＮＡＣＫ制御情報に含めて通知しても良い。
【００２８】
この場合においては、ＡＣＫ／ＮＡＣＫ制御情報に１ビット追加して、ＰＣＣの制御チャネル信号を受信したかどうかを示す受信情報をＡＣＫ／ＮＡＣＫ制御情報に含めて、この受信情報を無線基地局装置に通知しても良い。あるいは、ＯＣＣの符号｛１，１｝、｛１，−１｝により受信情報を無線基地局装置に通知しても良い。すなわち、直交符号を用いてＡＣＫ／ＮＡＣＫ以外の制御情報（ＰＣＣの制御チャネル信号を受信したかどうかを示す受信情報）を通知することができる。例えば、移動端末装置が無線基地局装置に対してＰＣＣの制御チャネル信号を受信したかどうかを示す受信情報を通知する場合に、ＯＣＣについて符号｛１，１｝を符号｛１，−１｝に変更して送信する。すなわち、データ信号に乗算される直交符号（ＯＣＣの符号）と、ＰＣＣの制御チャネル信号を受信したかどうかを示す受信情報とを関連付けても良い。
【００２９】
このように、ＰＣＣの制御チャネル信号を受信したかどうかを示す受信情報をＡＣＫ／ＮＡＣＫ制御情報に含めて、この受信情報を無線基地局装置に通知することにより、無線基地局装置が、ＰＣＣから送信した制御チャネル信号について正常に伝送できたかどうかを知ることができる。このため、この受信情報を用いて、高精度な制御チャネルのリンクアダプテーション（送信電力制御など）や再送制御などを行うことができる。
【００３０】
（実施の形態１）
本実施の形態においては、ＰＵＣＣＨにより信号伝送が行われる場合に、ＣＡＺＡＣ符号系列の巡回シフトを用いて複数のユーザからの信号を識別し、フィードバック制御情報であるＡＣＫ／ＮＡＣＫ信号を送信する場合について説明する。
【００３１】
図６は、本発明の実施の形態１に係る移動端末装置の概略構成を示す図である。図６に示す移動端末装置は、送信部と、受信部とを備えている。送信部は、ＡＣＫ／ＮＡＣＫ信号処理部１００と、参照信号処理部１０１と、ＡＣＫ／ＮＡＣＫ信号と参照信号を時間多重する時間多重部１０２とを備えている。
【００３２】
ＡＣＫ／ＮＡＣＫ信号処理部１００は、ＣＡＺＡＣ番号に対応するＣＡＺＡＣ符号系列を生成するＣＡＺＡＣ符号生成部１００１と、ＡＣＫ／ＮＡＣＫビット系列を誤り訂正符号化するチャネル符号化部１００３と、データ変調するデータ変調部１００４と、生成したＣＡＺＡＣ符号系列をデータ変調後の信号によりブロック変調するブロック変調部１００２と、ブロック変調後の信号に対して巡回シフトを行う巡回シフト部１００５と、巡回シフト後の信号をサブキャリアにマッピングするサブキャリアマッピング部１００６と、マッピング後の信号を逆高速フーリエ変換（ＩＦＦＴ）するＩＦＦＴ部１００７と、ＩＦＦＴ後の信号にＣＰ（Cyclic  Prefix）を付与するＣＰ付与部１００８とを有する。
【００３３】
参照信号処理部１０１は、ＣＡＺＡＣ番号に対応するＣＡＺＡＣ符号系列を生成するＣＡＺＡＣ符号生成部１０１１と、ＣＡＺＡＣ符号系列により構成される参照信号に対して巡回シフトを行う巡回シフト部１０１２と、巡回シフト後の信号にブロック拡散する（直交符号を乗算する）ブロック拡散部１０１３と、ブロック拡散後の信号をサブキャリアにマッピングするサブキャリアマッピング部１０１４と、マッピング後の信号をＩＦＦＴするＩＦＦＴ部１０１５と、ＩＦＦＴ後の信号にＣＰを付与するＣＰ付与部１０１６とを有する。
【００３４】
移動端末装置では、下りリンク信号でＡＣＫ／ＮＡＣＫを判定し、これに対応するＡＣＫ／ＮＡＣＫビット系列を生成する。ＡＣＫ／ＮＡＣＫ信号処理部１００のデータ変調部１００４は、チャネル符号化部１００３でチャネル符号化されたＡＣＫ／ＮＡＣＫビット系列を極座標成分の信号に変調する。データ変調部１００４は、データ変調後の信号をブロック変調部１００２へ出力する。ＣＡＺＡＣ符号生成部１００１は、ユーザに割り当てられているＣＡＺＡＣ番号に対応するＣＡＺＡＣ符号系列を準備する。ＣＡＺＡＣ符号生成部１００１は、生成したＣＡＺＡＣ符号系列をブロック変調部１００２へ出力する。ブロック変調部１００２は、１ＳＣ−ＦＤＭＡに対応するブロック単位毎にＣＡＺＡＣ符号系列をデータ変調後の制御信号でブロック変調する。ブロック変調部１００２は、ブロック変調後の信号を巡回シフト部１００５に出力する。
【００３５】
巡回シフト部１００５は、時間領域の信号を所定の巡回シフト量だけ巡回シフトする。なお、巡回シフト量はユーザ毎に異なり、巡回シフト番号に対応づけられている。巡回シフト部１００５は、巡回シフト後の信号をサブキャリアマッピング部１００６に出力する。サブキャリアマッピング部１００６は、巡回シフト後の信号をリソースマッピング情報に基づき、サブキャリアにマッピングする。サブキャリアマッピング部１００６は、マッピングされた信号をＩＦＦＴ部１００７に出力する。
【００３６】
ＩＦＦＴ部１００７は、マッピングされた信号をＩＦＦＴして時間領域の信号に変換する。ＩＦＦＴ部１００７は、ＩＦＦＴ後の信号をＣＰ付与部１００８に出力する。ＣＰ付与部１００８は、マッピング後の信号にＣＰを付与する。ＣＰ付与部１００８は、ＣＰを付与した信号を時間多重部１０２に出力する。
【００３７】
参照信号処理部１０１のＣＡＺＡＣ符号生成部１０１１は、ユーザに割り当てられているＣＡＺＡＣ番号に対応するＣＡＺＡＣ符号系列を準備し、参照信号として用いる。ＣＡＺＡＣ符号生成部１０１１は、参照信号を巡回シフト部１０１２に出力する。
【００３８】
巡回シフト部１０１２は、時間領域の参照信号を所定の巡回シフト量だけシフトする。なお、巡回シフト量はユーザ毎に異なり、巡回シフト番号に対応づけられている。巡回シフト部１０１２は、巡回シフト後の参照信号をブロック拡散部１０１３に出力する。ブロック拡散部（直交符号乗算手段）１０１３は、巡回シフト後の参照信号に直交符号（ＯＣＣ）（｛１，１｝、｛１，−１｝）を乗算する（ブロック拡散する）。ここで、参照信号に用いるＯＣＣ（ブロック拡散符号番号）については、上位レイヤからＲＲＣシグナリングなどで通知しても良く、データシンボルのＣＳに予め関連付けられたＯＣＣを用いても良い。ブロック拡散部１０１３は、ブロック拡散後の信号をサブキャリアマッピング部１０１４に出力する。
【００３９】
サブキャリアマッピング部１０１４は、周波数領域の信号をリソースマッピング情報に基づき、サブキャリアにマッピングする。サブキャリアマッピング部１０１４は、マッピングされた参照信号をＩＦＦＴ部１０１５に出力する。ＩＦＦＴ部１０１５は、マッピングされた信号をＩＦＦＴして時間領域の参照信号に変換する。ＩＦＦＴ部１０１５は、ＩＦＦＴ後の参照信号をＣＰ付与部１０１６に出力する。ＣＰ付与部１０１６は、直交符号乗算後の参照信号にＣＰを付与する。ＣＰ付与部１０１６は、ＣＰを付与した参照信号を時間多重部１０２に出力する。
【００４０】
時間多重部１０２では、ＡＣＫ／ＮＡＣＫ信号処理部１００からの信号と参照信号処理部１０１から参照信号を時間多重して、上り制御チャネル信号を含む送信信号とする。
【００４１】
受信部は、ＯＦＤＭ信号を復調するＯＦＤＭ信号復調部１０３と、ＢＣＨ（Broadcast  Channel）信号、下り制御信号を復号するＢＣＨ信号、下り制御信号復号部１０４と、下りリンク信号によりＡＣＫ／ＮＡＣＫを判定するＡＣＫ／ＮＡＣＫ判定部１０５とを有する。
【００４２】
ＯＦＤＭ信号復調部１０３は、下りＯＦＤＭ信号を受信し、復調する。すなわち、下りＯＦＤＭ信号からＣＰを除去し、高速フーリエ変換し、ＢＣＨ信号あるいは下り制御信号が割り当てられたサブキャリアを取り出し、データ復調する。ＯＦＤＭ信号復調部１０３は、データ復調後の信号をＢＣＨ信号、下り制御信号復号部１０４に出力する。また、ＯＦＤＭ信号復調部１０３は、下り信号をＡＣＫ／ＮＡＣＫ判定部１０５に出力する。
【００４３】
ＢＣＨ信号、下り制御信号復号部１０４は、データ復調後の信号を復号して、ＣＡＺＡＣ番号、リソースマッピング情報（リソースブロック番号を含む）、巡回シフト番号、ブロック拡散符号番号を得る。ＢＣＨ信号、下り制御信号復号部１０４は、ＣＡＺＡＣ番号をＣＡＺＡＣ符号生成部１００１，１０１１に出力し、リソースマッピング情報をサブキャリアマッピング部１００６，１０１４に出力し、巡回シフト番号を巡回シフト部１００５，１０１２に出力し、ブロック拡散符号番号（ＯＣＣ番号）をブロック拡散部１０１４に出力する。
【００４４】
ＡＣＫ／ＮＡＣＫ判定部１０５は、受信した下り共有データチャネル信号（ＰＤＳＣＨ信号）が誤りなく受信できたか否かを判定し、判定結果を出力する。判定結果は、肯定応答（ＡＣＫビット）又は否定応答（ＮＡＣＫビット）を表す送達確認情報で表現される。ＡＣＫ／ＮＡＣＫ判定部１０５は、ＡＣＫ／ＮＡＣＫビット系列をチャネル符号化部１００３に出力する。
【００４５】
図７は、本発明の実施の形態１に係る無線基地局装置の概略構成を示す図である。図７に示す無線基地局装置は、送信部と、受信部とを備えている。送信部は、上りリソース割り当て情報生成部７０１と、他の下りリンクチャネル信号と、上りリソース割り当て情報信号とを多重してＯＦＤＭ信号を生成するＯＦＤＭ信号生成部７０２とを有する。他の下りリンクチャネル信号は、データ、参照信号、制御信号などを含み、上りリソース割り当て情報信号は、ＣＡＺＡＣ番号、リソースマッピング情報、巡回シフト番号、ブロック拡散符号番号（ＯＣＣ番号）を含む。
【００４６】
なお、ＣＡＺＡＣ番号、リソースマッピング情報、巡回シフト番号、ブロック拡散符号番号（ＯＣＣ番号）は、ＢＣＨで移動端末装置に送信しても良く、下り制御チャネル（ＰＤＣＣＨ:Physical  Downlink  Control  Channel）で移動端末装置に送信しても良い。あるいは、ＣＡＺＡＣ番号、リソースマッピング情報、巡回シフト番号、ブロック拡散符号番号（ＯＣＣ番号）は、上位レイヤで移動端末装置に通知しても良い。
【００４７】
ＯＦＤＭ信号生成部７０２は、他の下りリンクチャネル信号及び上りリソース割り当て情報信号を含む下り信号をサブキャリアにマッピングし、逆高速フーリエ変換（ＩＦＦＴ）し、ＣＰを付加することにより、下り送信信号を生成する。
【００４８】
受信部は、受信信号からＣＰを除去するＣＰ除去部７０３と、受信信号を高速フーリエ変換（ＦＦＴ）するＦＦＴ部７０４と、ＦＦＴ後の信号をデマッピングするサブキャリアデマッピング部７０５と、サブキャリアデマッピング後の信号に対してブロック拡散符号（ＯＣＣ）で逆拡散するブロック逆拡散部７０６と、逆拡散後に信号から巡回シフトを除去して対象とするユーザの信号を分離する巡回シフト分離部７０７と、ユーザ分離後のデマッピング後の信号についてチャネル推定を行うチャネル推定部７０８と、チャネル推定値を用いてサブキャリアデマッピング後の信号をデータ復調するデータ復調部７０９と、データ復調後の信号をデータ復号するデータ復号部７１０とを有する。
【００４９】
ＣＰ除去部７０３は、ＣＰに相当する部分を除去して有効な信号部分を抽出する。ＣＰ除去部７０３は、ＣＰ除去後の信号をＦＦＴ部７０４に出力する。ＦＦＴ部７０４は、受信信号をＦＦＴして周波数領域の信号に変換する。ＦＦＴ部７０４は、ＦＦＴ後の信号をサブキャリアデマッピング部７０５に出力する。
【００５０】
サブキャリアデマッピング部７０５は、リソースマッピング情報を用いて周波数領域の信号から上り制御チャネル信号であるＡＣＫ／ＮＡＣＫ信号を抽出する。サブキャリアデマッピング部７０５は、抽出されたＡＣＫ／ＮＡＣＫ信号をデータ復調部７０９へ出力する。サブキャリアデマッピング部７０５は、抽出されたＡＣＫ／ＮＡＣＫ信号をブロック逆拡散部７０６へ出力する。
【００５１】
ブロック逆拡散部７０６では、ブロック拡散、すなわち直交符号（ＯＣＣ）（ブロック拡散符号）を用いて直交多重された受信信号を、移動端末装置で用いた直交符号（｛１，１｝、｛１，−１｝）で逆拡散する。ブロック逆拡散部７０６は、逆拡散後の信号を巡回シフト分離部７０７へ出力する。
【００５２】
巡回シフト分離部７０７は、巡回シフトを用いて直交多重された制御信号を、巡回シフト番号を用いて分離する。移動端末装置からの上り制御チャネル信号には、ユーザ毎に異なる巡回シフト量で巡回シフトが行われている。したがって、移動端末装置で行われた巡回シフト量と同じ巡回シフト量だけ逆方向に巡回シフトを行うことにより、受信処理の対象とするユーザの制御信号を分離することができる。巡回シフト分離部７０７は、ユーザ分離後の信号をチャネル推定部７０８に出力する。
【００５３】
チャネル推定部７０８は、巡回シフト及び直交符号を用いて直交多重された参照信号を、巡回シフト番号及び必要に応じてＯＣＣ番号を用いて分離する。チャネル推定部７０８においては、巡回シフト番号に対応した巡回シフト量を用いて逆方向に巡回シフトを行う。また、ＯＣＣ番号に対応した直交符号を用いて逆拡散する。これにより、ユーザの信号（参照信号）を分離することが可能となる。また、チャネル推定部７０８は、リソースマッピング情報を用いて周波数領域の信号から受信した参照信号を抽出する。そして、ＣＡＺＡＣ番号に対応するＣＡＺＡＣ符号系列と受信したＣＡＺＡＣ符号系列との相関をとることにより、チャネル推定を行う。
【００５４】
データ復調部７０９は、ＡＣＫ／ＮＡＣＫ信号をデータ復調し、データ復号部７１０に出力する。このとき、データ復調部７０９は、チャネル推定部７０８からのチャネル推定値に基づいてデータ復調する。また、データ復号部７１０は、復調後のＡＣＫ／ＮＡＣＫ信号をデータ復号してＡＣＫ／ＮＡＣＫ情報として出力する。
【００５５】
上記構成の移動端末装置において、ＡＣＫ／ＮＡＣＫ用のＰＵＣＣＨフォーマットにおける参照信号に巡回シフトを付与し、参照信号に直交符号を乗算する。これにより、参照信号は、図４（ｂ）に示すように、ユーザ多重される。移動端末装置は、そのように巡回シフトが付与され、直交符号が乗算された参照信号を含む制御チャネル信号をＰＵＣＣＨで無線基地局装置に送信する。このようにＣＳとＯＣＣを併用してユーザ直交化を行うことにより、直交化精度を向上させることができ、ＰＵＣＣＨでＡＣＫ／ＮＡＣＫ情報を効率的に伝送することができる。
【００５６】
（実施の形態２）
本実施の形態においては、ＰＵＣＣＨにより伝送が行われる場合に、ブロック拡散を用いて複数のユーザからの信号を識別し、フィードバック制御情報であるＡＣＫ／ＮＡＣＫ信号を送信する場合について説明する。
【００５７】
図８は、本発明の実施の形態２に係る移動端末装置の概略構成を示す図である。図８に示す移動端末装置は、送信部と、受信部とを備えている。送信部は、ＡＣＫ／ＮＡＣＫ信号処理部１３０と、参照信号処理部１３１と、ＡＣＫ／ＮＡＣＫ信号と参照信号を時間多重する時間多重部１３２とを備えている。
【００５８】
ＡＣＫ／ＮＡＣＫ信号処理部１３０は、ＡＣＫ／ＮＡＣＫビット系列を誤り訂正符号化するチャネル符号化部１３０１と、ＡＣＫ／ＮＡＣＫビット系列をデータ変調するデータ変調部１３０２と、データ変調後の信号にＤＦＴ（Discrete  Fourier  Transform）するＤＦＴ部１３０３と、ＤＦＴ後の信号にブロック拡散符号でブロック拡散するブロック拡散部１３０５と、ブロック拡散後の信号をサブキャリアにマッピングするサブキャリアマッピング部１３０６と、マッピング後の信号をＩＦＦＴするＩＦＦＴ部１３０７と、ＩＦＦＴ後の信号にＣＰを付与するＣＰ付与部１３０８とを有する。なお、データ変調部１３０２、サブキャリアマッピング部１３０６、ＩＦＦＴ部１３０７及びＣＰ付与部１３０８は、実施の形態１におけるデータ変調部１０１４、サブキャリアマッピング部１００６、ＩＦＦＴ部１００７及びＣＰ付与部１００８とそれぞれ同じであるのでその詳細な説明は省略する。
【００５９】
参照信号処理部１３１は、ＣＡＺＡＣ番号に対応するＣＡＺＡＣ符号系列を生成するＣＡＺＡＣ符号生成部１３１１と、ＣＡＺＡＣ符号系列により構成される参照信号に対して巡回シフトを行う巡回シフト部１３１２と、巡回シフト後の信号にブロック拡散符号でブロック拡散するブロック拡散部１３１３と、ブロック拡散後の信号をサブキャリアにマッピングするサブキャリアマッピング部１３１４と、マッピング後の信号をＩＦＦＴするＩＦＦＴ部１３１５と、ＩＦＦＴ後の信号にＣＰを付与するＣＰ付与部１３１６とを有する。なお、ＣＡＺＡＣ符号生成部１３１１、巡回シフト部１３１２、ブロック拡散部１３１３、サブキャリアマッピング部１３１４、ＩＦＦＴ部１３１５及びＣＰ付与部１３１６は、実施の形態１におけるＣＡＺＡＣ符号生成部１０１１、巡回シフト部１０１２、ブロック拡散部１０１３、サブキャリアマッピング部１０１４、ＩＦＦＴ部１０１５及びＣＰ付与部１０１６とそれぞれ同じであるのでその詳細な説明は省略する。
【００６０】
ブロック拡散部１３０５，１３１３は、時間領域の信号に対してブロック拡散符号を乗算する。なお、ブロック拡散符号はユーザ毎に異なり、ブロック拡散符号番号に対応づけられている。また、ブロック拡散部１３１３は、巡回シフト後の参照信号にブロック拡散符号（直交符号（ＯＣＣ）（｛１，１｝、｛１，−１｝））を乗算する。ここで、参照信号に用いるＯＣＣについては、データシンボルのブロック拡散符号に予め関連付けられたＯＣＣを用いることが好ましい。ブロック拡散部１３０５，１３１３は、それぞれブロック拡散後の信号をサブキャリアマッピング部１３０６，１３１４に出力する。
【００６１】
受信部は、ＯＦＤＭ信号を復調するＯＦＤＭ信号復調部１３３と、ＢＣＨ信号、下り制御信号を復号するＢＣＨ信号、下り制御信号復号部１３４と、下り共有データチャネル信号（ＰＤＳＣＨ（Physical  Downlink  Shared  Channel））が誤りなく受信できたかどうかの判定を行うＡＣＫ／ＮＡＣＫ判定部１３５とを有する。なお、ＯＦＤＭ信号復調部１３３及びＢＣＨ信号、下り制御信号復号部１３４は、実施の形態１におけるＯＦＤＭ信号復調部１０３及びＢＣＨ信号、下り制御信号復号部１０４とそれぞれ同じであるのでその詳細な説明は省略する。
【００６２】
ＡＣＫ／ＮＡＣＫ判定部１３５は、受信した下り共有データチャネル信号（ＰＤＳＣＨ信号）が誤りなく受信できたか否かを判定し、判定結果を出力する。判定結果は、肯定応答（ＡＣＫビット）又は否定応答（ＮＡＣＫビット）を表す送達確認情報で表現される。判定部１３５は、ＡＣＫ／ＮＡＣＫビットをチャネル符号化部１３０１に出力する。
【００６３】
ＢＣＨ信号、下り制御信号復号部１３４は、データ復調後の信号を復号して、ＣＡＺＡＣ番号、リソースマッピング情報（リソースブロック番号を含む）、巡回シフト番号、ブロック拡散符号番号を得る。ＢＣＨ信号、下り制御信号復号部１３４は、ＣＡＺＡＣ番号をＣＡＺＡＣ符号生成部１３１１に出力し、リソースマッピング情報をサブキャリアマッピング部１３０６，１３１４に出力し、巡回シフト番号を巡回シフト部１３１２に出力し、ブロック拡散符号番号をブロック拡散部１３０５，１３１４に出力する。
【００６４】
本発明の実施の形態２に係る無線基地局装置は、実施の形態１に係る無線基地局装置（図７）と同じであるので、説明は省略する。
【００６５】
上記構成の移動端末装置において、ＡＣＫ／ＮＡＣＫ用のＰＵＣＣＨフォーマットにおける参照信号に巡回シフトを付与し、参照信号に直交符号を乗算する。これにより、参照信号は、図５（ｂ）に示すように、ユーザ多重される。移動端末装置は、そのように巡回シフトが付与され、直交符号が乗算された参照信号を含む制御チャネル信号をＰＵＣＣＨで無線基地局装置に送信する。このようにＣＳとＯＣＣを併用してユーザ直交化を行うことにより、直交化精度を向上させることができ、ＰＵＣＣＨでＡＣＫ／ＮＡＣＫ情報を効率的に伝送することができる。
【００６６】
（実施の形態３）
本実施の形態においては、ＰＵＣＣＨにより伝送が行われる場合に、ブロック拡散を用いて複数のユーザからの信号を識別し、フィードバック制御情報であるＡＣＫ／ＮＡＣＫ信号と共にＳＲＳ（Sounding  Reference  Signal）を送信する場合について説明する。
【００６７】
ＬＴＥシステムでは、移動端末装置がスケジューリング用のＳＲＳを送信して、無線基地局装置側において、移動端末装置毎に上りリンクのチャネル状態を測定し、効果的なスケジューリングを実現している。本実施の形態においては、ＳＲＳとＡＣＫ／ＮＡＣＫ信号とを同時に送信する際に用いるShortened  format（ＳＲＳ送信用のフォーマット）に本発明を適用する場合（ＰＵＣＣＨフォーマットがShortened  formatである場合）について説明する。
【００６８】
Shortened  formatに本発明を適用する場合においては、ＰＵＣＣＨのフォーマットを以下のようにすることが考えられる。
（１）ＯＣＣの直交性を保持するために、ＯＣＣの系列長を減少させる（ここではＯＣＣの系列長を１つ減少させる）。
（２）ＯＣＣの系列長を保持するために、ＲＳシンボルを削除する（ここではＲＳシンボルを１つ削除する）。
【００６９】
図９（ａ）は、Shortened  formatに本発明を適用する際の上記（１）に関するフォーマットを示す図である。このフォーマットは、サブフレームがＳＲＳ送信用のサブフレーム（他ユーザがＳＲＳを送信する可能性があるサブフレーム）のときに、ＯＣＣの系列長を減少させるフォーマットである。すなわち、系列長を減少させたＯＣＣをShortened  formatに適用する。図９（ａ）に示すように、ユーザ＃ｐ（ＳＲＳを送信するユーザ）については、１ＳＣ−ＦＤＭＡ内の信号Ａを複製し、４つのＳＣ−ＦＤＭＡシンボル（第１シンボル、第３シンボル〜第５シンボル）にマッピングすると共に、第７シンボルにＳＲＳをマッピングする。さらに、直交符号（拡散符号）Ｗｐ１〜Ｗｐ４をＳＣ−ＦＤＭＡシンボル（第１シンボル、第２シンボル〜第５シンボル）全体に乗算する。一方、ユーザ＃ｑ（ＳＲＳを送信しないユーザ）については、１ＳＣ−ＦＤＭＡ内の信号Ｂを複製し、４つのＳＣ−ＦＤＭＡシンボル（第１シンボル、第３シンボル〜第５シンボル）にマッピングすると共に、第７シンボルには信号をマッピングしない（無送信区間）。さらに、直交符号（拡散符号）Ｗｑ１〜Ｗｑ４をＳＣ−ＦＤＭＡシンボル（第１シンボル、第２シンボル〜第５シンボル）全体に乗算する。このようにして、ＯＣＣの系列長を減少させる（ここでは、ＯＣＣの系列長を１つ減少させる）。
【００７０】
なお、ブロック拡散を用いた直交多重法において、ＲＳシンボルにどのＣＳ及びＯＣＣを用いるかについて、データシンボルのブロック拡散符号に予め関連付け（implicit  signaling）ておき、データシンボルのブロック拡散符号に基づいてＣＳ及びＯＣＣを決定することが好ましい。すなわち、データシンボルに乗算される直交符号と、ＲＳシンボルに付与される巡回シフト及び乗算される直交符号とが関連付けられていても良い。
【００７１】
このブロック拡散を用いた直交多重法においては、図９（ｂ）に示すように、データ信号（データシンボル）には、ＯＣＣベースの直交多重のみを適用し（データ信号を送信する複数の時間ブロックに渡って直交符号が乗算されている）、図９（ｃ）に示すように、参照信号（ＲＳシンボル）には、ＣＳとＯＣＣを併用した直交多重を適用する。図９（ｂ），（ｃ）において、網掛の違いはユーザの違いを示す。上記実施の形態の場合よりもＯＣＣの系列長を１つ減らしているので、データシンボルについては、４ユーザをＯＣＣで多重する。一方、ＲＳシンボルについては、１２個のＣＳリソース×２個のＯＣＣリソースを用いるので、例えば図９（ｃ）に示すように４ユーザを多重する。また、このフォーマットにおいては、図９（ｃ）に示すように、４ユーザをＣＳ五つおきに多重できる。このため、上記実施の形態よりもマルチパスの最大許容遅延量をより大きくとることができ、ＲＳシンボルの直交化精度を改善することができる。その結果、復調に用いるチャネル推定精度を改善することができる。このように、図９（ａ）に用いるフォーマットを用いることにより、ＳＲＳとＡＣＫ／ＮＡＣＫ信号とを同時に送信することができ、しかもＯＣＣの直交性を保持することができる。
【００７２】
図１０は、Shortened  formatに本発明を適用する際の上記（２）に関するフォーマットを示す図である。このフォーマットは、サブフレームがＳＲＳ送信用のサブフレーム（他ユーザがＳＲＳを送信する可能性があるサブフレーム）のときに、ＲＳシンボルを削除するフォーマットである。すなわち、ＲＳブロックを一部削除したShortened  formatを用いる。図１０に示すように、ユーザ＃ｐ（ＳＲＳを送信するユーザ）については、１ＳＣ−ＦＤＭＡ内の信号Ａを複製し、５つのＳＣ−ＦＤＭＡシンボル（第１シンボル、第３シンボル〜第６シンボル）にマッピングすると共に、第７シンボルにＳＲＳをマッピングする。さらに、直交符号（拡散符号）Ｗｐ１〜Ｗｐ５をＳＣ−ＦＤＭＡシンボル（第１シンボル、第２シンボル〜第６シンボル）全体に乗算する。一方、ユーザ＃ｑ（ＳＲＳを送信しないユーザ）については、１ＳＣ−ＦＤＭＡ内の信号Ｂを複製し、５つのＳＣ−ＦＤＭＡシンボル（第１シンボル、第３シンボル〜第６シンボル）にマッピングすると共に、第７シンボルには信号をマッピングしない（無送信区間）。さらに、直交符号（拡散符号）Ｗｑ１〜Ｗｑ５をＳＣ−ＦＤＭＡシンボル（第１シンボル、第２シンボル〜第６シンボル）全体に乗算する。このようにして、ＲＳシンボルを削除する（ここでは、ＲＳシンボルを１つ削除する）。
【００７３】
なお、ブロック拡散を用いた直交多重法において、ＲＳシンボルにどのＣＳ及びＯＣＣを用いるかについて、データシンボルのブロック拡散符号に予め関連付け（implicit  signaling）ておき、データシンボルのブロック拡散符号に基づいてＣＳ及びＯＣＣを決定することが好ましい。すなわち、データシンボルに乗算される直交符号と、ＲＳシンボルに付与される巡回シフト及び乗算される直交符号とが関連付けられていても良い。
【００７４】
このブロック拡散を用いた直交多重法においては、図１０に示すように、データ信号（データシンボル）には、ＯＣＣベースの直交多重のみを適用し（データ信号を送信する複数の時間ブロックに渡って直交符号が乗算されている）、図１０に示すように、参照信号（ＲＳシンボル）には、ＣＳを用いた直交多重を適用する。このフォーマットにおいては、上記実施の形態の場合よりもＲＳシンボルを１つ減らしているので、ＲＳシンボルについては、１２個のＣＳリソースのみを用いて直交多重する。このように、図１０に用いるフォーマットを用いることにより、ＳＲＳとＡＣＫ／ＮＡＣＫ信号とを同時に送信することができ、しかもＯＣＣの系列長を保持することができる。
【００７５】
図１１は、本発明の実施の形態３に係る移動端末装置の概略構成を示す図である。図１１において、図８と同じ部分については図８と同じ符号を付して、その詳細な説明は省略する。
【００７６】
図１１に示す移動端末装置は、ＳＲＳを生成するＳＲＳ生成部１３６を備えている。また、図１１に示す移動端末装置においては、ＢＣＨ信号、下り制御信号復号部１３４からフォーマット情報が出力され、このフォーマット情報がチャネル符号化部１３０１、ブロック拡散部１３０５，１３１３、巡回シフト部１３１２及びＳＲＳ生成部１３６に入力される。また、スケジューリング要求情報がチャネル符号化部１３０１に入力される。ここで、フォーマット情報とは、Shortened  formatを適用するかどうかの情報をいう。
【００７７】
チャネル符号化部１３０１は、ＡＣＫ／ＮＡＣＫビット系列を誤り訂正符号化する。チャネル符号化部１３０１は、フォーマット情報に応じてＡＣＫ／ＮＡＣＫビット系列（ＰＵＣＣＨのデータ信号）にスケジューリング要求情報（１ビット）を加えて誤り訂正符号化する。すなわち、チャネル符号部１３０１は、フォーマット情報がShortened  formatを示す場合には、ＡＣＫ／ＮＡＣＫビット系列（ＰＵＣＣＨのデータ信号）にスケジューリング要求情報（１ビット）を加えて誤り訂正符号化する。チャネル符号部１３０１は、誤り訂正符号化後の信号をデータ変調部１３０２に出力する。
【００７８】
巡回シフト部１３１２は、時間領域の参照信号を所定の巡回シフト量だけシフトする。このとき、巡回シフト部１３１２は、フォーマット情報に応じて時間領域の参照信号を所定の巡回シフト量だけシフトする。すなわち、巡回シフト部１３１２は、図９（ａ）に示すフォーマットにおいては、第２シンボル及び第６シンボルの参照信号に対して巡回シフトし、図１０に示すフォーマットにおいては、第２シンボルの参照信号に対して巡回シフトする。なお、巡回シフト量はユーザ毎に異なり、巡回シフト番号に対応づけられている。巡回シフト部１３１２は、巡回シフト後の参照信号をブロック拡散部１３１３に出力する。
【００７９】
ブロック拡散部（直交符号乗算手段）１３０５，１３１３は、時間領域の信号に対してブロック拡散符号を乗算する。このとき、ブロック拡散部１３０５，１３１３は、フォーマット情報に応じて時間領域の信号に対してブロック拡散符号を乗算する。すなわち、ブロック拡散部１３０５は、図９（ａ）に示すフォーマットにおいては、図９（ｂ）に示すブロック拡散符号を４ユーザに割り当て、図１０に示すフォーマットにおいては、図５（ａ）に示すブロック拡散符号を５ユーザに割り当てる。なお、ブロック拡散符号はユーザ毎に異なり、ブロック拡散符号番号に対応づけられている。また、ブロック拡散部１３１３は、巡回シフト後の参照信号にブロック拡散符号（直交符号（ＯＣＣ）（｛１，１｝、｛１，−１｝））を乗算する。ここで、参照信号に用いるＯＣＣについては、データシンボルのブロック拡散符号に予め関連付けられたＯＣＣを用いることが好ましい。ブロック拡散部１３０５，１３１３は、それぞれブロック拡散後の信号をサブキャリアマッピング部１３０６，１３１４に出力する。
【００８０】
ＳＲＳ生成部１３６は、ＳＲＳを生成し、そのＳＲＳを時間多重部１３２に出力する。このとき、ＳＲＳ生成部１３６は、フォーマット情報に応じてＳＲＳを生成する。すなわち、ＳＲＳ生成部１３６は、フォーマット情報がShortened  formatを示す場合には、ＳＲＳを生成する。
【００８１】
図１２は、本発明の実施の形態３に係る無線基地局装置の概略構成を示す図である。図１２において、図７と同じ部分については図７と同じ符号を付して、その詳細な説明は省略する。
【００８２】
図１２に示す無線基地局装置は、フォーマット情報を下り送信信号として移動端末装置に送信する。このフォーマット情報は、ブロック逆拡散部７０６、巡回シフト分離部７０７及びデータ復調部７０９に入力される。
【００８３】
ブロック逆拡散部７０６では、ブロック拡散、すなわち直交符号（ＯＣＣ）（ブロック拡散符号）を用いて直交多重された受信信号を、移動端末装置で用いた直交符号（｛１，１｝、｛１，−１｝）で逆拡散する。このとき、ブロック逆拡散部７０６は、フォーマット情報に応じて直交符号で直交多重された受信信号を逆拡散する。すなわち、ブロック逆拡散部７０６は、図９（ａ）に示すフォーマットにおいては、図９（ｂ）に示すブロック拡散符号を用いて直交多重された受信信号を逆拡散し、図１０に示すフォーマットにおいては、図５（ａ）に示すブロック拡散符号を用いて直交多重された受信信号を逆拡散する。ブロック逆拡散部７０６は、逆拡散後の信号を巡回シフト分離部７０７へ出力する。
【００８４】
巡回シフト分離部７０７は、巡回シフトを用いて直交多重された制御信号を、巡回シフト番号を用いて分離する。移動端末装置からの上り制御チャネル信号には、ユーザ毎に異なる巡回シフト量で巡回シフトが行われている。したがって、移動端末装置で行われた巡回シフト量と同じ巡回シフト量だけ逆方向に巡回シフトを行うことにより、受信処理の対象とするユーザの制御信号を分離することができる。このとき、巡回シフト分離部７０７は、フォーマット情報に応じて巡回シフト番号を用いて分離する。すなわち、巡回シフト分離部７０７は、図９（ａ）に示すフォーマットにおいては、第２シンボル及び第６シンボルの参照信号に対して逆方向に巡回シフトし、図１０に示すフォーマットにおいては、第２シンボルの参照信号に対して逆方向に巡回シフトする。巡回シフト部７０７は、ユーザ分離後の信号をチャネル推定部７０８に出力する。
【００８５】
データ復調部７０９は、ＡＣＫ／ＮＡＣＫ信号をデータ復調し、データ復号部７１０に出力する。このとき、データ復調部７０９は、チャネル推定部７０８からのチャネル推定値に基づいてデータ復調する。データ復調部７０９は、フォーマット情報に応じてＡＣＫ／ＮＡＣＫ信号をデータ復調する。すなわち、データ復調部７０９は、図９（ａ）や図１０に示すフォーマットに基づいてＡＣＫ／ＮＡＣＫ信号をデータ復調する。データ復調部７０９は、Shortened  formatの場合には、スケジューリング要求情報をデータ復調する。データ復調部７０９は、データ復調後の信号をデータ復号部７１０に出力する。
【００８６】
上記構成の移動端末装置において、ＡＣＫ／ＮＡＣＫ用のＰＵＣＣＨフォーマットにおける参照信号に巡回シフトを付与し、参照信号に直交符号を乗算する。これにより、参照信号は、図９（ｃ）に示すように、ユーザ多重される。移動端末装置は、そのように巡回シフトが付与され、直交符号が乗算された参照信号を含む制御チャネル信号をＰＵＣＣＨで無線基地局装置に送信する。このようにＣＳとＯＣＣを併用してユーザ直交化を行うことにより、Shortened  formatにおいてＳＲＳを送信することができると共に、直交化精度を向上させることができ、ＰＵＣＣＨでＡＣＫ／ＮＡＣＫ情報を効率的に伝送することができる。
【００８７】
本発明の範囲を逸脱しない限りにおいて、上記説明における処理部の数、処理手順については適宜変更して実施することが可能である。また、図に示される要素の各々は機能を示しており、各機能ブロックがハードウエアで実現されても良く、ソフトウエアで実現されてもよい。その他、本発明の範囲を逸脱しないで適宜変更して実施することが可能である。
【符号の説明】
【００８８】
１００，１３０  ＡＣＫ／ＮＡＣＫ信号処理部
１０１，１３１  参照信号処理部
１０２，１３２  時間多重部
１０３，１３３  ＯＦＤＭ信号復調部
１０４，１３４  ＢＣＨ信号、下り制御信号復号部
１０５，１３５  ＡＣＫ／ＮＡＣＫ判定部
１３６  ＳＲＳ生成部
７０１  上りリソース割り当て情報信号生成部
７０２  ＯＦＤＭ信号生成部
７０３  ＣＰ除去部
７０４  ＦＦＴ部
７０５  サブキャリアデマッピング部
７０６  ブロック逆拡散部
７０７  巡回シフト分離部
７０８  チャネル推定部
７０９  データ復調部
７１０  データ復号部
７０６  ブロック逆拡散部
１００１，１０１１，１３１１  ＣＡＺＡＣ符号生成部
１００２  ブロック変調部
１００３，１３０１  チャネル符号化部
１００４，１３０２  データ変調部
１００５，１０１２，１３１２  巡回シフト部
１００６，１０１４，１３０６，１３１４  サブキャリアマッピング部
１００７，１０１５，１３０７，１３１５  ＩＦＦＴ部
１００８，１０１６，１３０８，１３１６  ＣＰ付与部
１０１３，１３０５，１３１３  ブロック拡散部
【図１】
0005443317.tif 000002
【図２】
0005443317.tif 000003
【図３】
0005443317.tif 000004
【図４】
0005443317.tif 000005
【図５】
0005443317.tif 000006
【図６】
0005443317.tif 000007
【図７】
0005443317.tif 000008
【図８】
0005443317.tif 000009
【図９】
0005443317.tif 000010
【図１０】
0005443317.tif 000011
【図１１】
0005443317.tif 000012
【図１２】
0005443317.tif 000013